(57)【要約】【課題】ドライバー等を用いた手作業の調節作業を行うことなく、かつ簡単な構成及び処理内容で、手間なく計時誤差の調節を行うことができる時計機能付き電子機器を提供する。【解決手段】水晶発振子１１の発振周波数を検査機１９により測定し、その周波数の値に応じた計時カウント用の設定数を、入力部１３ｂを介して時計マイコン１３に設定すれば、その設定数が不揮発性メモリ１５に保存されるとともに、その設定数に基づいてカウント動作が行われて時刻が計時される。また、時計マイコン１３には、水晶発振子１１から受け取った発振信号を分周した信号を外部に出力する出力部１３ａが設けられる。【選択図】図１
2005147730.tif 000002
【特許請求の範囲】
【請求項１】
発振信号を出力する発振子と、
前記発振信号又はその発振信号を分周した信号のパルス数をカウントし、そのカウントが所定の設定数だけ行われることにより所定の単位時間の経過を認識して計時を行う時計処理回路と、
を備える時計機能付き電子機器であって、
前記時計処理回路は、
前記設定数が外部から設定可能となっており、前記設定数を設定するための入力を受け付ける入力部を備える、時計機能付き電子機器。
【請求項２】
請求項１に記載の時計機能付き電子機器において、
前記時計処理回路内又は前記時計処理回路外に設けられ、前記時計処理回路が前記入力部を介して受け付けた前記設定数に関する情報を記憶する不揮発性の記憶部をさらに備え、
前記時計処理回路は、前記記憶部から読み込んだ前記情報に基づいて決定される前記設定数を用いて計時処理を行う、時計機能付き電子機器。
【請求項３】
請求項１又は２に記載の時計機能付き電子機器において、
前記時計処理回路は、
前記発振子から受け取った前記発振信号又はその発振信号を分周した信号を外部に出力する出力部を備える、時計機能付き電子機器。
【発明の詳細な説明】
【技術分野】
【０００１】
本発明は、時計機能付き電子機器に関する。
【背景技術】
【０００２】
図２は、第１の従来技術に係る時計機能付き電子機器のブロック図である。この電子機器では、図２に示すように、水晶発振子１から出力される発振信号が、分周回路３で所定の分周比で分周されて時計ＩＣ５に送られ、その分周された発振信号に基づいて、時計ＩＣ５が発振信号のパルス数をカウントすることにより、時計として機能するための計時処理を行うようになっている。時計ＩＣ５が計時により取得した時刻データは、メインマイコン７に出力される。
【０００３】
このように水晶発振子１の発振信号を用いて計時を行う場合、水晶発振子１の部品ごとのばらつきに起因する計時誤差を調節する必要がある。この従来の電子機器における計時誤差の調節は、次のようにして行われる。すなわち、時計ＩＣ５には、分周されて入力される水晶発振子１からの発振信号を出力する出力ポートが設けられており、作業者が、その出力ポートから出力される発振信号に基づいて測定器で発振信号の周波数を測定し、その周波数が所定の基準周波数に近似するように、ドライバー等で水晶発振子１の負荷容量を調節して水晶発振子１の発振周波数を調節するようになっている。
【０００４】
また、第２の従来技術としては特許文献１、２に記載のものがある。この特許文献１、２に係る電子機器では、電子機器内に備えられる水晶発振子からの発振信号と、電子機器外から入力される計時誤差調節用の外部基準信号とを、時計処理回路（マイコン等）に入力し、時計処理回路内で計時誤差の調節のためのカウンタ調節量を導出させて保存させるようになっている。
【０００５】
【特許文献１】特開平７−２７８８２号公報
【特許文献２】特開２０００−１３１４７３公報
【発明の開示】
【発明が解決しようとする課題】
【０００６】
上記第１の従来技術では、計時誤差の調節をドライバー等を用いた手作業で行う必要があるため、計時誤差の調節に手間がかかるという問題がある。
【０００７】
上記第２の従来技術では、ドライバー等を用いた手作業で計時誤差の調節を行う必要はないが、時計処理回路内で計時誤差の調節のためのカウンタ調節量を導出させる構成であるため、計時処理回路の構成や処理内容が複雑化するこという問題がある。
【０００８】
そこで、本発明が解決すべき課題は、ドライバー等を用いた手作業の調節作業を行うことなく、かつ簡単な構成及び処理内容で、手間なく計時誤差の調節を行うことができる時計機能付き電子機器を提供することである。
【課題を解決するための手段】
【０００９】
前記課題を解決するための手段は、発振信号を出力する発振子と、前記発振信号又はその発振信号を分周した信号のパルス数をカウントし、そのカウントが所定の設定数だけ行われることにより所定の単位時間の経過を認識して計時を行う時計処理回路と、を備える時計機能付き電子機器であって、前記時計処理回路は、前記設定数が外部から設定可能となっており、前記設定数を設定するための入力を受け付ける入力部を備える。
【００１０】
好ましくは、前記時計処理回路内又は前記時計処理回路外に設けられ、前記時計処理回路が前記入力部を介して受け付けた前記設定数に関する情報を記憶する不揮発性の記憶部をさらに備え、前記時計処理回路は、前記記憶部から読み込んだ前記情報に基づいて決定される前記設定数を用いて計時処理を行うのがよい。
【００１１】
また、好ましくは、前記時計処理回路は、前記発振子から受け取った前記発振信号又はその発振信号を分周した信号を外部に出力する出力部を備えるのがよい。
【発明の効果】
【００１２】
請求項１に記載の発明によれば、発振子の発振周波数を測定し、その周波数の値に応じた計時カウント用の設定数を、入力部を介して時計処理回路に設定すれば、その設定数に基づいてカウント動作が行われて時刻が計時されるようになっているため、ドライバー等を用いた手作業の調節作業を行うことなく、手間なく計時誤差の調節を行うことができる。
【００１３】
また、発振子の発信周波数のばらつきに対する計時用の設定数の補正量の導出処理が外部の検査機で行われる構成であるため、時計処理回路の構成や処理内容が複雑化することもない。
【００１４】
請求項２に記載の発明によれば、計時用の設定数に関する情報が不揮発性の記憶部に保存されるため、電源オフ時にも設定数に関する情報が消失することがない。
【００１５】
請求項３に記載の発明によれば、時計処理回路に、発振子から受け取った発振信号又はその発振信号を分周した信号を外部に出力する出力部が設けられるため、発振子の発振信号等を外部に容易に取り出すことができる。
【発明を実施するための最良の形態】
【００１６】
図１は、本発明の一実施形態に係る時計機能付き電子機器のブロック図である。この電子機器は、図１に示すように、計時用の発振信号を出力する水晶発振子１１と、入力される発振信号に基づいて時刻の計時を行う時計マイコン（時計処理回路）１３と、時計マイコン１３の計時に用いられる設定数（又は、設定数に関する情報）を記憶する不揮発性メモリ（不揮発性の記憶部）１５と、この電子機器の制御処理等を統括するメインマイコン１７とを備えており、例えば車載用等に用いられる。なお、不揮発性メモリ１５は、時計マイコン１３外に設けられる場合と、時計マイコン１３内に設けられる場合とがある。
【００１７】
時計マイコン１３は、通常動作として、起動時に不揮発性メモリ１５から読み込んだ計時用の設定数に基づいて、水晶発振子１１から与えられる発振信号を分周した信号（又は、発振信号そのもの）のパルスをカウントし、時刻の計時を行う。具体的には、水晶発振子１１から与えられる発振信号を分周した信号のパルス数がカウントされ、そのカウント動作が不揮発性メモリ１５から読み込んだ所定の設定数だけ行われることにより所定の単位時間の経過が認識されて計時が行われるようになっている。そして、この計時処理によって認識された時刻に関する情報は、所定の伝送路を介して時計マイコン１３からメインマイコン１７に通信等で送られる。
【００１８】
また、時計マイコン１３には、計時誤差等の調節用の検査機１９を接続するための出力部１３ａ及び入力部１３ｂが設けられている。出力部１３ａからは、時計マイコン１３が水晶発振子１１から受け取った発振信号を分周した信号（又は、発振信号そのもの）が出力され、検査機１９に与えられるようになっている。入力部１３ｂを介しては、時計マイコン１３に対する指令や、検査機１９から通信等により与えられる制御データ（計時用の設定数を含む）等の入力が受け付けられるようになっている。ここで、出力部１３ａを介した発振信号を分周した信号の出力は、水晶発振子１１から発振信号が出力されている期間の間中、定常的に行われるようにしてもよく、あるいは、入力部１３ｂから所定の指令入力が行われるのに応答して、時計マイコン１３が発振信号を分周した信号の出力を開始するようにしてもよい。
【００１９】
そして、時計マイコン１３は、入力部１３ｂを介して検査機１９から計時用の設定数が入力されると、その設定数を不揮発性メモリ１５に登録（又は更新登録）するとともに、それ以後はその入力された設定数を用いて計時処理を行うようになっている。
【００２０】
この電子機器に対する計時誤差の調節は、次のようにして行われる。まず、図１に示すように検査機１９が時計マイコン１３の出力部１３ａ及び入力部１３ｂに接続され、水晶発振子１１の発振信号が時計マイコン１３にて分周されて、出力部１３ａを介して検査機１９に入力される。発振信号を分周した信号が検査機１９に入力されると、検査機１９が、その入力信号に基づいて水晶発振子１１の発振周波数を測定し、測定した発振周波数が予め登録されている基準周波数を基準として所定の許容誤差範囲内にあるか否かを判定し、測定周波数が許容誤差範囲内にない場合には、計時用の設定数の補正処理を行う一方、測定周波数が許容誤差範囲内にある場合には、計時用の設定数の補正処理を行うことなく、検査処理を終了する。
【００２１】
計時用の設定数の補正処理では、その電子機器の水晶発振子１１の発振周波数に応じた計時用の設定数が検査機１９によって導出されて決定され、決定された設定数が入力部１３ｂを介して検査機１９から時計マイコン１３に送り込まれ、その設定数が時計マイコン１３により不揮発性メモリ１５に更新登録されるとともに、それ以後はその新たな設定数を用いて時計マイコン１３による計時処理が行われる。この計時用の設定数の補正処理が行われない場合には、不揮発性メモリ１５に初期設定された計時用の設定数、若しくは時計マイコン１３内のデフォルト設定数を用いて計時処理が行われることとなる。
【００２２】
以上のように、本実施形態によれば、水晶発振子１１の発振周波数を検査機１９により測定し、その周波数の値に応じた計時カウント用の設定数を、入力部１３ｂを介して時計マイコン１３に設定すれば、その設定数に基づいてカウント動作が行われて時刻が計時されるようになっているため、ドライバー等を用いた手作業の調節作業を行うことなく、手間なく計時誤差の調節を行うことができる。
【００２３】
また、水晶発振子１１の発信周波数のばらつきに対する計時用の設定数の補正量の導出処理が外部の検査機１９で行われる構成であるため、時計マイコン１３の構成や処理内容が複雑化することもない。
【００２４】
さらに、計時用の設定数が不揮発性メモリ１５に保存されるため、電源オフ時にも設定数に関する情報が消失することがない。
【００２５】
また、時計マイコン１３に、水晶発振子１１から受け取った発振信号を分周した信号を外部に出力する出力部１３ａが設けられるため、水晶発振子１１の発振信号等を外部に容易に取り出すことができる。
【図面の簡単な説明】
【００２６】
【図１】本発明の一実施形態に係る時計機能付き電子機器のブロック図である。
【図２】第１の従来技術に係る時計機能付き電子機器のブロック図である。
【符号の説明】
【００２７】
１１  水晶発振子
１３  時計マイコン
１３ａ  出力部
１３ｂ  入力部
１５  不揮発性メモリ
１７  メインマイコン
１９  検査機
【図１】
2005147730.tif 000003
【図２】
2005147730.tif 000004